(57)【要約】【課題】加湿エレメントの浸漬部を複雑な形状とすることなく、簡単な構成で加湿エレメントの良好な自立状態を維持でき、かつ効率よく室内の空気に対して加湿することのできる自然気化式加湿装置を提供すること。【解決手段】吸水性を有する加湿エレメントよりなる自然気化式加湿具であって、下部が水に浸される浸漬部材と、該浸漬部材の上部に配されて、浸漬部材から吸い上げられた水を蒸散させる蒸散部材とを備え、前記浸漬部材及び蒸散部材はいずれもシート状の部材を組み合わせてなるものであって、前記浸漬部材は、複数の浸漬片がそれぞれ互いにその厚み方向に所定の間隔を空けた状態で、その上端部近傍が蒸散部材に接続され、前記蒸散部材よりも下方で、前記複数の浸漬片を一つに束ねる束ね手段を備えるようにした。【選択図】  図１
2014044027.tif 000002
【特許請求の範囲】
【請求項１】
吸水性を有する加湿エレメントよりなる自然気化式加湿具であって、
下部が水に浸される浸漬部材と、
該浸漬部材の上部に配されて、浸漬部材から吸い上げられた水を蒸散させる蒸散部材とを備え、
前記浸漬部材及び蒸散部材はいずれもシート状の部材を組み合わせてなるものであって、
前記浸漬部材は、複数の浸漬片がそれぞれ互いにその厚み方向に所定の間隔を空けた状態で、その上端部近傍が蒸散部材に接続され、
前記蒸散部材よりも下方で、前記複数の浸漬片を一つに束ねる束ね手段を備えるようにしたことを特徴とする自然気化式加湿具。
【請求項２】
蒸散部材の中央部近傍には上下に貫通するスリットが所定間隔を空けて複数箇所成され、
当該複数のスリットに各浸漬片を挿し通すことによって蒸散部材と浸漬部材とを接続するようになされ、
束ね手段には、上下に貫通し、複数の浸漬片を一つに束ねて挿し通すためのスリット孔が設けられており、当該スリット孔に複数の浸漬片を挿し通すことによって、当該複数の浸漬片を一つに束ねるようにしたことを特徴とする請求項１に記載の自然気化式加湿具。
【請求項３】
浸漬部材には、蒸散部材を所定高さ位置に保持するための蒸散部材保持手段が設けられ、また束ね手段を所定の高さ位置に保持するための束ね手段保持手段が設けられていることを特徴とする請求項１又は２に記載の自然気化式加湿具。
【請求項４】
浸漬部材は草木の茎又は枝を模したものとなされ、蒸散部材は草木の花を模したものとなされ、束ね部材は草木の葉を模したものとしたことを特徴とする請求項１乃至３のいずれかに記載の自然気化式加湿具。
【発明の詳細な説明】
【技術分野】
【０００１】
本発明は、電源を必要とせず、水の自然蒸発を利用した自然気化式の加湿装置に関するものである。
【背景技術】
【０００２】
従来から、室内の空気が過度に乾燥するのを防止し、適当な湿度を保つために様々な加湿装置が利用されている。近年は、特に省エネルギーや環境への配慮から、電力を使用せず水の自然な蒸発作用を利用した自然気化式の加湿装置が多く用いられている（例えば下記特許文献１及び２参照）。
【０００３】
これら従来の自然気化式の加湿装置は、いずれも吸水性を有する加湿エレメントを用い、当該加湿エレメントの一部（浸漬部）を水に浸漬させると共に一部（露出部）を水の外へ露出させたものであって、毛細管現象を利用して水を前記露出部から蒸発させるものである。すなわち、上記のような構成とすることにより、毛細管作用によって浸漬部から露出部へと水が浸潤し、その水が露出部から室内の空気中へと蒸発することによって、室内の加湿をするものである。
【０００４】
このような従来の自然気化式加湿装置によれば、確かに電力を使用することなく、水の自然な蒸発作用を利用して室内の空気の乾燥を防止し、適度な湿度を維持するこが可能となる。
【先行技術文献】
【特許文献】
【０００５】
【特許文献１】特開２００５−３２１１８４号公報
【特許文献２】特開２００７−１０７７６８号公報
【発明の概要】
【発明が解決しようとする課題】
【０００６】
しかしながら、上記のような従来の自然気化式加湿装置においては、以下のような不都合があった。すなわち、上記のような従来の自然気化式加湿装置においては、その加湿エレメントには、吸水性のある合成樹脂シートや不織布、紙などが用いられ、その下側が水に浸漬されるとともに上側が水から外へ露出するようにして、自立させたものとしている。この水から外へ露出した露出部は、効率よく水を蒸発させるためには、その表面積を大きくするのが好ましい。しかしながら一方、露出部を大きくすると、露出部まで水が浸潤するとその重みで加湿エレメントの自立状態が維持しずらくなってしまう。それゆえ、加湿エレメントの自立状態を維持するために、浸漬部の形状を複雑なものとする必要があった。
【０００７】
本発明は、上記のような問題点を克服するためになされたものであり、加湿エレメントの浸漬部を複雑な形状とすることなく、簡単な構成で加湿エレメントの良好な自立状態を維持でき、かつ効率よく室内の空気に対して加湿することのできる自然気化式加湿装置を提供することを目的とする。
【課題を解決するための手段】
【０００８】
上記の課題を解決するため、本発明に係る自然気化式加湿具は、吸水性を有する加湿エレメントよりなる自然気化式加湿具であって、下部が水に浸される浸漬部材と、該浸漬部材の上部に配されて、浸漬部材から吸い上げられた水を蒸散させる蒸散部材とを備え、前記浸漬部材及び蒸散部材はいずれもシート状の部材を組み合わせてなるものであって、前記浸漬部材は、複数の浸漬片がそれぞれ互いにその厚み方向に所定の間隔を空けた状態で、その上端部近傍が蒸散部材に接続され、前記蒸散部材よりも下方で、前記複数の浸漬片を一つに束ねる束ね手段を備えるようにしたことを特徴とする。
【０００９】
本発明に係る自然気化式加湿具によれば、加湿エレメントの浸漬部材は、複数の浸漬片が互いにその厚み方向に所定の間隔を空けた状態で、その上端部近傍が蒸散部材に接続されているようになされ、かつ、前記蒸散部材よりも下方で、前記浸漬部材を一つに束ねる束ね手段を備えるようにしたことで、簡単な構成により、浸漬部材及び蒸散部材が吸水して重くなった場合においても浸漬部材が容易に折れ曲がることなく、その自立状態を維持することが可能となっている。
【００１０】
本発明に係る自然気化式加湿具において、蒸散部材の中央部近傍には上下に貫通するスリットが所定間隔を空けて複数箇所成され、当該複数のスリットに各浸漬片を挿し通すことによって蒸散部材と浸漬部材とを接続するようになされ、束ね手段には、上下に貫通し、複数の浸漬片を一つに束ねて挿し通すためのスリット孔が設けられており、当該スリット孔に複数の浸漬片を挿し通すことによって、当該複数の浸漬片を一つに束ねるようにしてもよい。このようにすれば、蒸散部材のスリット及び束ね手段のスリット孔に浸漬片を挿し通すだけで、容易に組み立てが完了する。
【００１１】
さらに、本発明に係る自然気化式加湿具において、浸漬部材には、蒸散部材を所定高さ位置に保持するための蒸散部材保持手段が設けられ、また束ね手段を所定の高さ位置に保持するための束ね手段保持手段が設けられているようにしてもよい。このようにすれば、蒸散部材及び束ね手段が浸漬部材の所定高さ位置に保持されるので、加湿具の自立状態をより良好に保つことができる。
【発明の効果】
【００１２】
以上のとおり、本発明に係る自然気化式加湿具によれば、加湿エレメントの浸漬部材は、複数の浸漬片が互いにその厚み方向に所定の間隔を空けた状態で、その上端部近傍が蒸散部材に接続されているようになされ、かつ、前記蒸散部材よりも下方で、前記浸漬部材を一つに束ねる束ね手段を備えるようにしたことで、簡単な構成により、浸漬部材及び蒸散部材が吸水して重くなった場合においても浸漬部材が容易に折れ曲がることなく、その自立状態を維持することが可能となっている。
【図面の簡単な説明】
【００１３】
【図１】本発明に係る自然気化式加湿具の実施形態を示す図であり、その使用状態を示す斜視図である。
【図２】図１に示した自然気化式加湿具の一実施形態の斜視図である。
【図３】図２に示した自然気化式加湿具の（ａ）は平面図、（ｂ）は左側面図、（ｃ）は正面図、（ｄ）は右側面図、そして（ｅ）は底面図である。
【図４】図１に示した自然気化式加湿具の別の一実施形態の斜視図である。
【図５】図４に示した自然気化式加湿具の（ａ）は平面図、（ｂ）は左側面図、（ｃ）は正面図、（ｄ）は右側面図、そして（ｅ）は底面図である。
【図６】図２に示した自然気化式加湿具の組立前の状態を示した説明図である。
【図７】図２に示した自然気化式加湿具の組立途中の状態を示した説明図である。
【図８】同じく図２に示した自然気化式加湿具の組立途中の状態を示した説明図である。
【図９】図４に示した自然気化式加湿具の組立前の状態を示した説明図である。
【図１０】図４に示した自然気化式加湿具の組立途中の状態を示した説明図である。
【図１１】同じく図４に示した自然気化式加湿具の組立途中の状態を示した説明図である。
【図１２】（ａ）は、本発明に係る自然気化式加湿具の加湿エレメントを差し入れて保持させるための保持具を示した平面図であり、（ｂ）は、当該保持具に加湿エレメントを差し入れる様子を示した説明図である。
【図１３】本発明に係る自然気化式加湿具を水に浸して使用するための容器の例を示す図であり、（ａ）は当該容器に水を注ぐ様子を示した説明図（正面図）であって、（ｂ）は同容器の右側面図である。
【図１４】（ａ）は、本発明に係る自然気化式加湿具の加湿エレメントを構成する各部材が切り離し容易な状態で型抜きされている不織布シートを示した説明図であり、（ｂ）は、（ａ）の不織布シートから加湿エレメントを構成する各部材を切り離した状態を示した説明図である。
【図１５】本発明に係る自然気化式加湿具における加湿エレメントの浸漬部材の別の一実施形態を示す図であり、（ａ）は、当該浸漬部材を広げた状態を示す平面図、（ｂ）は、当該浸漬部材を折り曲げて茎状とした状態を示す説明図である。
【発明を実施するための形態】
【００１４】
以下、本発明を実施するための形態を、図面に基づいて詳細に説明する。
【００１５】
図１は、本発明に係る自然気化式加湿具の実施形態を示すものであって、その使用状態を示したものである。図１においては、図２に示した本発明に係る自然気化式加湿具の一実施形態（第一実施形態）２及び図４に示した別の一実施形態（第二実施形態）３のものをそれぞれ複数個、同一の容器９内に入れて一つの加湿装置１を形成するようにしたものである。図２及び図４から分かるように、これら加湿具２、３は、いずれも草花を模した形態となされており、花びんに見立てた容器９中の水を当該水に浸された加湿具２、３の茎部（浸漬部材）４から吸い上げ、吸い上げた水を上に露出した花部（蒸散部材）５から蒸散（蒸発）させるようにしたものである。
【００１６】
図２及び図３は、前記自然気化式加湿具２の一実施形態（第一実施形態）を示したものであり、花の茎部及び雌しべ部を形成する浸漬部材４と、花部を形成する蒸散部材５と、葉部を形成する束ね手段６とを備えている。浸漬部材４、蒸散部材５、及び束ね手段６を形成する加湿エレメントには、この実施形態においては不織布で形成されたシート材を用いているが、これに限られない。吸水性能を備え、吸収した水を空気中に蒸発させる作用を有するものであれば、合成樹脂製のシートや紙など、任意の材料を適宜選択して用いることができる。また、この加湿エレメントには、抗菌・防カビなどの性能を付与する加工を施してもよく、或いは、加湿エレメントが吸水していることを目視できるように、吸水すると変色するインキを含浸させるなどの加工を施してもよい。
【００１７】
図２及び３に示すように、この実施形態における浸漬部材４は、不織布のシート材で形成された３枚の細長い浸漬片４１からなり、蒸散部材（花部）５は同じく不織布のシート材で形成された３枚の花びら片５１から、束ね手段（葉部）６は同じく不織布のシート材で形成された１枚の葉状片を折り曲げたものからなる。浸漬部材４は、この３枚の浸漬片４１によって茎部を形成し、そのうちの中央に配された浸漬片４１の上端部には花の雌しべ４３の形状が模られている。また、花部５は、３枚の花びら片５１を上下方向に重ねるようにして形成される。各花びら片５１には、それぞれ複数の花びらの形状が模られていて、これら花びら片５１を重ねることにより、また、各花びら片５１には複数の折り曲げ片５１１が設けられていて当該折り曲げ片５１１を折り曲げることによって、花びら片５１を立体的なものとしている。
【００１８】
各花びら片５１の中央部近傍には、上下方向に貫通する３つのスリット５３が形成されている。当該３つのスリット５３は、それぞれに茎部４を形成する浸漬片４１を差し入れるためのスリットであり、各浸漬片４１がその厚み方向に所定の間隔を空けて配されるように、所定の間隔を空けて形成されている。
【００１９】
束ね手段６は、２枚の葉を型取った１枚の葉状片からなり、これを半分に折って草木の葉を模した形態のものとしている。また、この葉状片６には、スリット孔６３が形成されており、当該スリット孔６３に複数の浸漬片４１を挿し通すことができるようになされている。
【００２０】
浸漬片４１には、蒸散部材５（花びら片５１）を所定高さ位置に保持するための蒸散部材保持手段４５が設けられている。蒸散部材保持手段４５は、蒸散部材５、すなわちこの実施形態における３枚の花びら片５１が取り付けられる高さ位置において、両側部に凹部４５ａが形成されてくびれ部４５となされている。この実施形態においては花びら片５１に形成されたスリット５３の長さ寸法は、前記くびれ部４５の幅寸法ｍと略同一であって、くびれ部４５より上下位置における幅寸法Ｍよりも小さいものとなされている。これにより、図６から図７に示した手順で花びら片５１のスリット５３に浸漬片４１を圧入して挿し通し、図８の状態とすれば、くびれ部４５の位置で花びら片５１がしっかりと保持される。
【００２１】
さらに、浸漬片４１には、束ね手段６を所定高さ位置に保持するための束ね手段保持手段４６が設けられている。束ね手段保持手段４６は、束ね手段６、すなわちこの実施形態における葉状片６が取り付けられる高さ位置において、両側部に凹部４６ａが形成されて第二のくびれ部４６となされている。この実施形態においては葉状片６に形成されたスリット孔６３の長さ寸法は、前記第二のくびれ部４６の幅寸法ｎと略同一であって、第二のくびれ部４６より上下位置における幅寸法Ｎよりも小さいものとなされている。これにより、図８に示したように葉状片６のスリット孔６３に浸漬片４１を圧入して挿し通し、図２の状態とすれば、第二のくびれ部４６の位置で葉状片６がしっかりと保持される。
【００２２】
以上のような構成により、複数の浸漬片４１がその厚み方向に所定の間隔を空けた状態で、その所定高さ位置において蒸散部材５にしっかりと保持されて接続され、かつ、束ね手段６が複数の浸漬片４１を一つに束ねた状態でその所定高さ位置にしっかりと保持される。それゆえ、浸漬部材４及び蒸散部材５が吸水して重くなった場合においても浸漬部材４が容易に折れ曲がることなく、その自立状態を維持することが可能となっている。
【００２３】
図４〜５、及び図９〜１１は、本発明に係る自然気化式加湿具の別の一実施形態（第二実施形態）３を示したものであり、花の茎部を形成する浸漬部材４と、花部を形成する蒸散部材５と、葉部を形成する束ね手段６とを備えている。浸漬部材４、蒸散部材５、及び束ね手段６を形成する加湿エレメントには、この実施形態においては不織布で形成されたシート材を用いている。
【００２４】
図４及び５に示すように、この実施形態における浸漬部材４は、不織布のシート材で形成された２枚の細長い浸漬片４１からなり、蒸散部材（花部）５は同じく不織布のシート材で形成された２枚の花びら片５１から、束ね手段（葉部）６は同じく不織布のシート材で形成された１枚の葉状片からなる。浸漬部材４は、この２枚の浸漬片４１によって茎部４を形成し、また花部５は、２枚の花びら片５１を上下方向に重ねるようにして形成される。各花びら片５１には、それぞれ複数の花びらの形状が模られていて、これら花びら片５１を重ねることにより、また、花びら片５１には複数の折り曲げ片５１１が設けられていて当該折り曲げ片５１１を折り曲げることによって、花びら片５１を立体的なものとしている。
【００２５】
各花びら片５１の中央部近傍には、上下方向に貫通する２つのスリット５３が形成されている。当該２つのスリット５３は、それぞれに茎部４を形成する浸漬片４１を差し入れるためのスリットであり、各浸漬片４１がその厚み方向に所定の間隔を空けて配されるように、所定の間隔を空けて形成されている。
【００２６】
束ね手段６は、葉っぱの形をした１枚の葉状片からなる。また、この葉状片６には、スリット孔６３が形成されており、当該スリット孔６３に複数の浸漬片４１を一つに束ねて挿し通すことができるようになされている。
【００２７】
浸漬片４１には、蒸散部材５（花びら片５１）を所定高さ位置に保持するための蒸散部材保持手段４５が設けられている。蒸散部材保持手段４５は、蒸散部材５、すなわちこの実施形態における２枚の花びら片５１が取り付けられる高さ位置において、両側部に凹部４５ａが形成されてくびれ部４５となされている。この実施形態においては花びら片５１に形成されたスリット５３の長さ寸法は、前記くびれ部４５の幅寸法ｍと略同一であって、くびれ部４５より上下位置における幅寸法Ｍよりも小さいものとなされている。これにより、図９から図１０に示した手順で花びら片５１のスリット５３に浸漬片４１を圧入して挿し通し、図１１の状態とすれば、くびれ部４５の位置で花びら片５１がしっかりと保持される。
【００２８】
さらに、浸漬片４１には、束ね手段６を所定高さ位置に保持するための束ね手段保持手段４６が設けられている。束ね手段保持手段４６は、束ね手段６、すなわちこの実施形態における葉状片６が取り付けられる高さ位置において、両側部に凹部４６ａが形成されて第二のくびれ部４６となされている。この実施形態においては葉状片６に形成されたスリット孔６３の長さ寸法は、前記第二のくびれ部４６の幅寸法ｎと略同一であって、第二のくびれ部４６より上下位置における幅寸法Ｎよりも小さいものとなされている。これにより、図１１に示したように葉状片６のスリット孔６３に浸漬片４１を圧入して挿し通し、図４の状態とすれば、第二のくびれ部４６の位置で葉状片６がしっかりと保持される。
【００２９】
以上のような構成により、当該第二実施形態においても、複数の浸漬片４１がその厚み方向に所定の間隔を空けた状態で、その所定高さ位置において蒸散部材５にしっかりと保持されて接続され、また束ね手段６が複数の浸漬片４１を一つに束ねた状態でその所定高さ位置にしっかりと保持される。それゆえ、浸漬部材４及び蒸散部材５が吸水して重くなった場合においても浸漬部材４が容易に折れ曲がることなく、その自立状態を維持することが可能となっている。
【００３０】
尚、上述した自然気化式加湿具２、３を構成する各部材は、図１３（ａ）に示したような四角形状のシート材内に、それぞれの部材を型抜きしたものとし、図１３（ｂ）に示すように利用者が容易に切り離し可能なものとすることができる。このようにしておけば、各部材を１枚のシート材として製品パッケージに封入することが可能であり、また各部材が一目で区別できるので、利用者が必要な部材を切り離して自然気化式加湿具２、３を組み立てることができる。
【００３１】
図１に示した実施形態においては、上述した２つの実施形態における自然気化式加湿具２、３を各々複数個ずつ用意して、図１４に示したような水Ｗを満たした容器９に入れ、その浸漬部材４の下部を水に浸すようにして加湿装置１を形成している。この実施形態においては、各自然気化式加湿具２、３を図１２（ａ）に示した加湿具保持片７に保持させている。加湿具保持片７には、複数の保持スリット７３が形成されており、当該保持スリット７３に本発明に係る自然気化式加湿具２、３の浸漬部材４を挿し通すようになされている。各浸漬部材４には、第３のくびれ部４７が形成されており、上述した蒸散部材５及び束ね手段６と同様に、加湿保持片７は浸漬部材４の所定高さ位置（第３のくびれ部４７の位置）に保持される。
【００３２】
また、図１に示した加湿装置１においては、上述した２つの実施形態に係る自然気化式加湿具２、３のほか、葉の形をした葉状シート８も付加したものとしている。当該葉状シート８も、加湿具保持片７に保持されて、容器９に入れられる。
【００３３】
この加湿具保持片７に複数形成された各保持スリット７３の傍には、そこに第一実施形態の自然気化式加湿具２、第二実施形態の自然気化式加湿具３、又は葉状シート８のいずれを挿すべきかが一目で分かるように印が付されている。例えば、この実施形態においては、印７５には第一実施形態の自然気化式加湿具２が、印７６には第二実施形態の自然気化式加湿具３が、そして印７７には葉状シート８がそれぞれ差し入れられる。
【００３４】
尚、図１で使用している容器９は、透光性および可撓性を備えた合成樹脂材料で形成された容器であって、平坦に折り畳むことも可能なものである。この容器を図１４に示すように前後方向に広げて水Ｗで満たし、ここへ加湿具保持片７に保持された自然気化式加湿具２、３を入れる。これにより、各自然気化式加湿具２、３の浸漬部材４の下部が水に浸されて吸水し、その水が蒸散部材５及び束ね手段６から蒸発して加湿を行う。
【００３５】
図１５は、上述した実施形態における浸漬部材４の別の一実施形態を示したものである。上述した２つの実施形態においては、浸漬部材４は互いに切り離された浸漬片４１を複数枚用いたものとしているが、図１５に示すように１枚のシート材で形成するようにしてもよい。この実施形態においては、１枚のシート材の略中間部に設けられた折り曲げ線４ａで折り曲げて、その両端部に浸漬片４１、４１を形成し、これにより浸漬部材４を形成している。このような形態によっても、両浸漬片４１、４１をその厚み方向に所定の間隔を空けて配することが出来る。
【００３６】
以上のとおり、いくつかの具体的な実施形態を示して本発明に係る自然気化式加湿具を説明してきたが、本発明は上述の実施形態に限られるものではなく、本発明の趣旨を逸脱しない範囲で様々に形態等を変更することができるものである。すなわち、今回開示した実施形態は、すべての点で例示であって、限定的な解釈の根拠となるものではない。したがって、本発明に技術的範囲は、上述した実施形態のみによって解釈されるものではなく、特許請求の範囲の記載に基づいて画定され、また、特許請求の範囲と均等の意味および範囲内でのすべての変更が含まれるものである。
【符号の説明】
【００３７】
１      自然気化式加湿装置
２、３  自然気化式加湿具      
４      浸漬部材
４１    浸漬片
５      蒸散部材
５１    花びら片
５３    スリット
６      束ね手段
６３    スリット孔
７      加湿具保持片
８      葉状シート
９      容器
【図１】
2014044027.tif 000003
【図２】
2014044027.tif 000004
【図３】
2014044027.tif 000005
【図４】
2014044027.tif 000006
【図５】
2014044027.tif 000007
【図６】
2014044027.tif 000008
【図７】
2014044027.tif 000009
【図８】
2014044027.tif 000010
【図９】
2014044027.tif 000011
【図１０】
2014044027.tif 000012
【図１１】
2014044027.tif 000013
【図１２】
2014044027.tif 000014
【図１３】
2014044027.tif 000015
【図１４】
2014044027.tif 000016
【図１５】
2014044027.tif 000017